(57)【要約】      （修正有）【課題】排水穴を設けるばかりでなく、立設する支柱の構造、構成に対応して、多様に対応出来る構成とされた連結部を形成可能としたコンクリートブロック製ベースブロックを提供する。【解決手段】コンクリートブロック製ベースブロック１が、コンクリートブロック２の中央部の位置に、木材の先端に形成されるほぞを収納するほぞ穴４、及び、ほぞ穴に連通しコンクリートブロックを貫通する水抜き穴５を有し、コンクリートブロックの中央部とコンクリートブロックの周囲との間の任意の位置に、内面にねじ溝８が形成され、ねじ穴がコンクリートブロックの土面から露出し、ほぞ穴に対峙して埋め込まれたインサート金具７を備える。【選択図】図１
0003177821.tif 000002
【実用新案登録請求の範囲】
【請求項１】
コンクリートブロックで形成され、該コンクリートブロックの中央部の位置に、木材の先端に形成されるほぞを収納するほぞ穴及び該ほぞ穴に連通し、前記コンクリートブロックを貫通する水抜き穴が形成され、該コンクリートブロックの中央部とコンクリートブロックの周囲との間の任意の位置に、内面にねじ溝が形成され、ねじ穴がコンクリートブロックの表面から露出し、インサート金具が前記ほぞ穴に対峙して埋め込まれて設けられたたことを特徴とするコンクリートブロック製ベースブロック。
【考案の詳細な説明】
【技術分野】
【０００１】
本項案は、コンクリートブロック製ベースブロックに関する。
【背景技術】
【０００２】
簡易ハウス、道路標識、カーブミラー、防護柵、街路灯等の支柱を設置するため、地図に埋設して、あるいは地面に配置して支柱立設用コンクリートブロック製のベースブロックが用いられる。
【０００３】
特許文献１には、コンクリートブロックの上面に排水穴を穿けて排水性をよくすることが記載されている。
【０００４】
特許文献２には、コンクリートブロックの上面に支柱が挿入される支柱用固定用孔が穿設されることが記載されている。
【０００５】
特許文献３には、ブロック体の上面から内部に支柱下端が差し込まれる差込孔を形成することが記載されている。
【０００６】
特許文献４には、ブロック本体の上面から突出し、支柱下端に設けられたトッププレートに挿通されるアンカーボルトが設けられることが記載されている。
【先行技術文献】
【特許文献】
【０００７】
【特許文献１】実公平７−４５６８８号公報
【特許文献２】特開２００８−１９６３６号公報
【特許文献３】特開平１０−３２５２６８号公報
【特許文献４】特開２００９−１４４３８２号公報
【考案の概要】
【考案が解決しようとする課題】
【０００８】
立設する支柱の構造、構成に対応してコンクリートブロック製ベースブロックには、支柱への連結部に多様に構成することが求められる。また、コンクリートの上面には排水穴を設けることが求められる。
【０００９】
上述した特許文献１には、排水穴を設けることが記載されているが、支柱への連結部については記載されていない。
【００１０】
上述した特許文献２〜４には、支柱への連結部が記載されているが、立設する支柱の構造、構成に対応して、多様に対応可能な連結部構成とはなっていない。
【００１１】
本考案は、かかる点に鑑みてなされたもので排水穴を設けるばかりでなく、立設する支柱の構造、構成に対応して、多様に対応出来る構成とされた連結部を形成可能としたコンクリートブロック製ベースブロックを提供することを目的とする。
【課題を解決するための手段】
【００１２】
本考案は、コンクリートブロックで形成され、該コンクリートブロックの中央部の位置に、木材の先端に形成されるほぞを収納するほぞ穴及び該ほぞ穴に連通し、前記コンクリートブロックを貫通する水抜き穴が形成され、該コンクリートブロックの中央部とコンクリートブロックの周囲との間の任意の位置に、内面にねじ溝が形成され、ねじ穴がコンクリートブロックの土面から露出し、インサート金具が前記ほぞ穴に対峙して埋め込まれて設けられたたことを特徴とするコンクリートブロック製ベースブロックを提供する。
【考案の効果】
【００１３】
本項案は、上述したように、コンクリートブロックの中央部の位置にほぞ穴、水抜き穴を形成し、これに対峙する形でねじ溝が形成されたインサート金具を埋め込んで設けているので、立設する支柱の構造、構成に対応してねじ溝が形成されたインサート金具に多様な連結部材を連結することが多様に対応可能なコンクリートブロック製ベースブロックを提供することができる。
【図面の簡単な説明】
【００１４】
【図１】本発明の実施例の構造を示す斜視図。
【図２】本実施例の利用の形態の１例を示す図。
【考案を実施するための形態】
【００１５】
以下、本考案の実施例を図面に基づいて説明する。
【実施例】
【００１６】
図１は、本考案の実施例であるコンクリートブロック製ベースブロック（台）を示す。
【００１７】
図１において、コンクリートブロック製ベースブロック１は、コンクリートブロック２から形成される。本例ではコンクリートブロック２として立方体状のコンクリートブロックが用いられているが、直方体状あるいは中空状円筒体状のコンクリートブロックであっても構わない。このコンクリートブロックの角辺には図示したように面取り３がなされている。
【００１８】
コンクリートブロック２の各面は平坦とされている。コンクリートブロック２の中央部には、平坦とされた表面、すなわち上面２２から下面２３に向けてのほぞ穴４及びこれに連通する水抜き穴５が形成される。
【００１９】
ほぞ穴４は、木材、プラスチック材、鉄骨等の先端に形成されたほぞ、すなわち先細形体差し込み部が差し込まれる部分となる。ほぞ穴４は、図に示すように断面四形状が望ましいが、この形状には限定されない。水抜き穴５の形状が円形状であることが望ましい。
【００２０】
コンクリートブロック２の中央部とコンクリートブロック２の周囲６との間の位置に、インサート金具７が埋め込まれる。図は、このインサート金具７が埋め込まれた状態を示す。インサート金具７には任意の大きさのものが選択される。コンクリートブロック２の大きさに合わせ、また立設される支柱の構造、構成に対応に合わせて任意の大きさのインサート金具７が選択される。インサート金具７は、コンクリートブロック２の中央部とコンクリートブロック２の周囲との任意の位置に設定可能であるが、ほぼこれらの中間点に設定するのがよい。
【００２１】
インサート金具７には、内面にねじ溝８が形成されたインサート金具が用いられる。本考案は、ねじ溝８を備えたインサート金具７を用いることに１つの特徴がある。ねじ溝形成とすることでねじ山を持つ各種の連結部材の使用を可能とする。ねじ結合で両者の結合はしっかりしたものとなる。インサート金具７の大きさに対応してねじ穴の大きさが変わる。すなわち、支柱の構造、構成に対応してねじ穴の大きさを任意に変えたインサート金具７が用いられる。ねじ穴の大きさを任意に変えたインサート金具７は、コンクリートブロック２を形成するステップで埋め込めばよく、簡便にコンクリートブロック２に埋め込むことができる。
【００２２】
インサート金具７の長さは、コンクリートブロック２の上下面を貫通する長さにすることは必要はなく、望ましくはコンクリートブロック２の半分程度まで埋め込まれればよい。また、ねじ溝８はインサート金具７の内面全長に亘って設ける必要はなく、望ましくは全長の２／３程度あればよく、他の１／３は金具部９とされてよい。
【００２３】
インサート金具７は、上述したほぞ穴４に対峙してコンクリートブロック２の中央部とコンクリートブロック２の周囲との間に設けられる。このようにすることによって、連結金具を用いてほぞ穴４に立設された支柱とインサート金具７との連結部構成を固定し易く確固たるものとすることができる。
【００２４】
図２は、連結金具１１を用いて、コンクリートブロック２に埋め込まれたインサート金具７と木材製の支柱１２とを連結し、支柱１２をコンクリートブロック製ベースブロック１に立設した例を示す図である。
【００２５】
インサート金具７には、ボルト１３が螺合される。すなわち、ボルト１３の外面にはねじ山１４が形成され、ねじ山１４はインサート金具７の内面に形成されたねじ溝８に螺合し、これによってボルト１３はインサート金具７に固着される。本例の場合、ボルト１３は頭部１５及びナット１６を備える。ナット１６は、ボルト１３の螺合上下位置を設定し、ボルト１３をインサート金具７にしっかりと固着させる作用をなす。
【００２６】
ボルト１３の頭部１５には、凹凸状の金具連結部１６で連結された羽子板状の連結板１７が設けられる。したがって、連結板１６は、ボルト１３と一体に回転する。連結板１６は垂直方向に設定される。
【００２７】
ボルト１３によって連結金具１１が構成され、インサート金具７に装着され、ナット１６によってしっかりと固定される。
【００２８】
このようにして連結部が形成されると、支柱１２のほぞ２１がほぞ穴４に装着され、支柱１２がベースブロック１の上に立設され、連結板１７に設けたビス１８によって連結金具７に固着される。この例の場合、コンクリート製ベースブロック１をデッキや簡易ハウスの土台として利用できる。
【００２９】
図２に示す例では、連結金具１１としてボルト１３を用いた例を示したが、連結金具は、ボルト以外にも各種の金具を用いて形成することができる。例えば、アイボルトを使用した場合には、コンクリート製ベースブロック１をテントの重石として用いて風対策を施すことができ、また小型犬のつなぎ止めとして利用できる。
【００３０】
また、Ｌ型金具を使用した場合には、物置の土台として利用できる。
【００３１】
連結金具１１としてボルトを用い、水抜き穴にボルトを固定したような場合には、コンクリート製ベースブロック１をエアコン、灯油貯め・機械などの土台として利用できる。
【００３２】
インサート金具７のねじ穴をキャップを用いて閉じることで、インサート金具７の錆止めとするのができる。
【００３３】
連結金具１１には、上述した例以外にも各種の金具を使用し、コンクリート製ベースブロック１を各種の用途に利用することができる。
【符号の説明】
【００３４】
１…コンクリートブロック製ベースブロック、２…コンクリートブロック、４…ほぞ穴、５…水抜き穴、６…コンクリートブロック周囲、７…インサート金具、８…ねじ溝、１１…連結金具。
【図１】
0003177821.tif 000003
【図２】
0003177821.tif 000004